(57)【要約】  本発明は、ヒトケラチン物質を、特に電流を用いて処理するためのデバイスであって、少なくとも、ケラチン物質に塗布される、特に化粧用の又は皮膚科学的な組成物を収容するリザーバと、リザーバ内に収容された組成物を分配供給するための部材、特にポンプと、リザーバ内に収容された組成物の塗布用の端部取付部品（２）であって、少なくとも１つの塗布部材（６）、特に複数の塗布部材（６）を備え、塗布部材（６）が、リザーバから分配供給部材によって組成物が供給されるハウジング内に受け入れられ、塗布部材がそのハウジング内で、組成物の圧力下で、第１の位置と第２の位置との間で移動可能であり、組成物用の少なくとも１つの中間貯蔵室が、ハウジングの底部及び塗布部材によって境界画定され、塗布部材がその第１の位置からその第２の位置に移ると、中間室の容積が変化する、端部取付部品（２）とを備える、デバイスに関する。
2018537240.tif 000002
【特許請求の範囲】
【請求項１】
ヒトケラチン物質を、特に電流を用いて処理するためのデバイス（１）において、前記デバイス（１）が、
−  前記ヒトケラチン物質に塗布するための組成物（Ｐ）、特に化粧品組成物又は皮膚科学的組成物を収容するリザーバ（３）と、
−  前記リザーバ（３）の内部に収容された前記組成物（Ｐ）を分配供給するための分配供給部材、特にポンプと、
−  前記リザーバ（３）の内部に収容された前記組成物（Ｐ）を塗布するための端部取付部品（２）であって、前記端部取付部品（２）が、少なくとも１つの塗布部材（６）、特に複数の前記塗布部材（６）を備えており、前記塗布部材（６）が、前記分配供給部材によって前記リザーバ（３）から前記組成物（Ｐ）が供給されるハウジング（３２）に受容されており、前記塗布部材（６）が、前記組成物（Ｐ）の圧力下で、前記ハウジング（３２）の内部において第１の位置と第２の位置との間で移動可能とされ、前記組成物（Ｐ）のための少なくとも１つの中間貯蔵室（１００）の境界が、前記ハウジング（３２）の底部及び前記塗布部材（６）によって形成されており、前記中間貯蔵室（１００）の容積が、前記塗布部材（６）が前記第１の位置から前記第２の位置に移動された場合に変化する、前記端部取付部品（２）と、
を少なくとも備えていることを特徴とするデバイス（１）。
【請求項２】
前記デバイス（１）が、幾つかの前記塗布部材（６）、特に２つ〜８つの塗布部材（６）を備えていることを特徴とする請求項１に記載のデバイス（１）。
【請求項３】
少なくとも１つの前記塗布部材（６）、より好ましくはすべての前記塗布部材（６）が、ボールであることを特徴とする請求項１又は２に記載のデバイス（１）。
【請求項４】
前記ハウジング（３２）の底部と、前記ハウジング（３２）に配設された前記塗布部材（６）との間に形成される前記中間貯蔵室（１００）の最大容積が、５マイクロリットル（μＬ）〜１００マイクロリットル（μＬ）とされ、より好ましくは１０μＬ〜５０μＬとされることを特徴とする請求項１〜３のいずれか一項に記載のデバイス（１）。
【請求項５】
前記分配供給部材が、手動によって作動されることを特徴とする請求項１〜４のいずれか一項に記載のデバイス（１）。
【請求項６】
前記分配供給部材が、例えば電気モータによって自動的に作動されることを特徴とする請求項１〜５のいずれか一項に記載のデバイス（１）。
【請求項７】
前記分配供給部材が、前記組成物（Ｐ）を間欠的に小刻みに分配供給するように構成されていることを特徴とする請求項１〜６のいずれか一項に記載のデバイス（１）。
【請求項８】
前記分配供給部材が、少なくとも１つのモータ、特に少なくとも１つのサーボ制御方式でないギヤードモータを含んでいることを特徴とする請求項７に記載のデバイス（１）。
【請求項９】
前記デバイス（１）が、０．５μＬ／ｓ〜２０μＬ／ｓ、より好ましくは１μＬ／ｓ〜１０μＬ／ｓの流量で前記組成物（Ｐ）を前記ヒトケラチン物質に分配供給されるように構成されていることを特徴とする請求項１〜８のいずれか一項に記載のデバイス（１）。
【請求項１０】
前記組成物（Ｐ）が、前記リザーバ（３）から供給オリフィス（３９）を通じて前記ハウジング（３２）に供給されることを特徴とする請求項１〜９のいずれか一項に記載のデバイス（１）。
【請求項１１】
前記ハウジング（３２）が、前記塗布部材（６）を前記ハウジング（３２）の内部に保持するように構成された形状を有していることを特徴とする請求項１〜１０のいずれか一項に記載のデバイス（１）。
【請求項１２】
前記ハウジング（３２）が、前記塗布部材（６）のより大きな横断面に比べて小さな断面をもつ開口部を有していることを特徴とする請求項１〜１１のいずれか一項に記載のデバイス（１）。
【請求項１３】
前記ハウジング（３２）が、半円よりも大きな横断面形状を有しており、
前記塗布部材（６）が、横断面において円状とされることを特徴とする請求項１２に記載のデバイス（１）。
【請求項１４】
前記デバイス（１）が、前記組成物（Ｐ）の塗布ゾーンにおいて前記ヒトケラチン物質を処理電流に晒すための給電システム（１０）を備えていることを特徴とする請求項１〜１３のいずれか一項に記載のデバイス（１）。
【発明の詳細な説明】
【技術分野】
【０００１】
本発明は、ケラチン物質、特に皮膚、頭皮、又は毛髪の、特に化粧用の又は皮膚科学的な処理を実施することが意図されたデバイスに関する。「化粧用組成物又は皮膚科学的組成物」とは、１９９３年６月１４日の理事会の指令９３／３５／ＣＥＥに定義されている任意の組成物を意味する。
【０００２】
本発明は特に、電流を用いた、特にケラチン物質の化粧用の又は皮膚科学的な処理のためのデバイスに関する。
【背景技術】
【０００３】
皮膚に電流を印加すると、活性剤の浸透を促進できることが知られている。したがって、ヒトケラチン物質を、イオン導入デバイスを用いて処理することが知られている。イオン導入は、皮膚を通じた活性剤の拡散を、電気刺激によって非侵襲的に可能にするものである。施される電流は、強度及び極性（陽極又は陰極電流）の点で調整可能であってよい。イオン導入による分子の経皮拡散は、２つの原理、すなわち電気反発及び電気浸透に基づいている。
【０００４】
電気反発は、イオン化分子が、同一符号の電荷の反発によって移動することである。したがって、正に帯電した物質が、陽極（＋）のレベルのところで、皮膚を通じて拡散する。
【０００５】
電気浸透は、分子が、イオン化されていなくても、イオン導入中に陽極から陰極に向かう水の流れに関係して運ばれることによって、移動することである。流れの影響下で、溶解した物質が移動中の水又は溶媒によって運ばれる。
【０００６】
特許文献１は、マッサージ機能も呈する電流アプリケータであって、複数のボールを備え、すべてのボールが、ボールの支持体の下に延在する組成物リザーバに浸漬される、電流アプリケータに関する。
【０００７】
特許文献２の主題は、製品が直接供給される中央ボールを含む複数のボールを備える、マッサージ用アプリケータである。このマッサージ用アプリケータには、電流を印加するためのシステムがない。
【０００８】
特許文献３では、アプリケータが電極のマトリックスを備える。
【先行技術文献】
【特許文献】
【０００９】
【特許文献１】米国特許第５０９０４０２号明細書
【特許文献２】米国特許第５１３１３８４号明細書
【特許文献３】米国特許出願公開第２００５／０１０７８３２号明細書
【発明の概要】
【発明が解決しようとする課題】
【００１０】
皮膚を通じた活性剤の浸透を促進するデバイスを、イオン導入の効果を高めるようにさらに強化する必要がある。
【００１１】
特に、良好な効果を呈し、快適にかつ全く安全に使用され得る、ケラチン物質の、特に電流を用いた、特に化粧用の又は皮膚科学的な処理のためのデバイスの恩恵を受ける必要がある。
【課題を解決するための手段】
【００１２】
したがって、本発明の主題は、その態様のうちの１つによれば、ヒトケラチン物質の、特に電流を用いた、特に化粧用の又は皮膚科学的な処理のためのデバイスであって、少なくとも、
−  ケラチン物質に塗布される、特に化粧用の又は皮膚科学的な組成物Ｐを収容するリザーバと、
−  リザーバ内に収容された組成物を分配供給するための分配供給部材、特にポンプと、
−  リザーバ内に収容された組成物の塗布用の端部取付部品であって、少なくとも１つの塗布部材、特に複数の塗布部材を備え、塗布部材が、リザーバから分配供給部材によって組成物が供給されるハウジング内に受け入れられ、塗布部材がそのハウジング内で、組成物の圧力下で、第１の位置と第２の位置との間で移動可能であり、組成物用の少なくとも１つの中間貯蔵室が、ハウジングの底部及び塗布部材によって境界画定され、塗布部材がその第１の位置から第２の位置に移ると、中間室の容積が変化する、端部取付部品と
を備える、デバイスである。
【００１３】
したがって、第１の位置は、塗布部材がそのハウジング内で静止しているときの位置であってよく、第２の位置は、塗布部材がそのハウジング内で、組成物の圧力下で、移動する位置である。
【００１４】
「ヒトケラチン物質」とは、主として、特に身体のもしくは顔の皮膚、又は頭皮、爪、もしくは毛髪を意味する。
【００１５】
中間室が存在することにより、少量の組成物の中間貯蔵が可能になり、それにより、場合によっては、たとえリザーバからの分配供給部材による組成物の分配供給が間欠的に、すなわち小刻みに行われても（これはおそらく、特に、分配供給部材が例えば分配供給ボタンによって手動により、又は例えば間欠的なモータによって自動的に作動されるとき、そうである）、ケラチン物質上への組成物の分配供給が円滑化することが可能になる。したがって、分配供給部材は、組成物を間欠的に分配供給するように構成されてよい。
【００１６】
分配供給部材は、手動により作動されてよい。一変形形態として、分配供給部材は、例えば電気モータによって自動的に作動される。この電気モータは、ステッパモータとは異なってよく、それにより、それほど費用のかからないデバイスの恩恵を受けることが可能になる。
【００１７】
分配供給部材は、少なくとも１つのモータ、特に、サーボ制御されない少なくとも１つのギヤードモータ、例えばＤＣモータを備えてよい。そのようなデバイスは、所与の時間間隔にわたる、連続的ではない、モータへの動力供給を可能にすることができる。分配供給部材には、特に、ウォームホイール、又はステッパモータ、又は回転数の点でサーボ制御方式の減速歯車モータがなくてよい。
【００１８】
ハウジングの底部と、前記ハウジング内に配設された塗布部材との間に生み出される中間室の最大容積が、５マイクロリットル（μＬ）から１００マイクロリットル（μＬ）の間、より良好には１０μＬから５０μＬの間であってよく、例えば２０μＬ程度である。
【００１９】
デバイスは、ケラチン物質上に分配供給される組成物の、０．５μＬ／ｓから２０μＬ／ｓの間の、より良好には１μＬ／ｓから１０μＬ／ｓの間の、例えば２μＬ／ｓから４μＬ／ｓ程度の流量を可能にするように構成されてよい。したがって、本発明によるデバイスは、有利には、組成物を非常に低い流量で分配供給できるようになっており、これは、イオン導入処理の場合に有利となり得る。
【００２０】
中間室が存在することにより、使用される分配供給部材の性質がどんなものであれ、デバイスの出口における流量の制御を改善することが可能になる。したがって、好ましくは、たとえ分配供給部材による分配供給が間欠的に行われることがあっても、デバイスの出口における組成物の分配供給は、連続的かつ円滑に行われる。組成物分配供給流量の規則正しさは、イオン導入処理において重要であり、というのもその規則正しさにより、印加される微弱電流の効果及び安定性、したがって処理中のユーザの快適さを保証することが可能になるためである。
【００２１】
本発明によるデバイスの使用は、デバイスの使用中にその粘性が経時的に変化する組成物の場合、特に有利である。実際のところ、中間室が存在することにより、組成物の粘性変化を補償することが可能になる。粘性変化は、リザーバ内に収容された組成物量の使用期間を超える、リザーバ内での長期間の保管から生じる場合がある。
【００２２】
ハウジングには、リザーバから供給オリフィスを通じて組成物が供給される。供給オリフィスは、ハウジングの底部内に配設されてもよく、一変形形態として、ハウジングの底部内以外の場所に配設されてもよい。
【００２３】
中間貯蔵室の高さｈが、塗布部材の第１の位置とその第２の位置との間にわたる。
【００２４】
ハウジングは、塗布部材をハウジング内に保持するように構成された形状を有してよい。したがって、ハウジングの形状は、塗布部材がハウジングから離脱しないようにするものが選択されてよい。
【００２５】
ハウジングは、塗布部材のより大きな横断面に比べて小さな断面をもつ開口部を有してよい。ハウジングの開口部により、開口部を通じてハウジングから突き出した塗布部材による、ケラチン物質への組成物の塗布が可能になっている。
【００２６】
ハウジングは、半円よりも大きな横断面形状を有し、塗布部材は、横断面が円形形状のものである。ハウジングの横断面は、例えば、円の円周の５１％から７０％、より良好には対応する円の円周の５２％から６５％、さらに良好には対応する円の円周の５３％から６０％に対応する、円弧の形状を有する。「横断面」とは、デバイスの長手方向軸に平行な断面を意味し、該当するなら、塗布部材が長手方向軸を有する場合、例えば塗布部材が円筒形である場合には、その塗布部材の長手方向軸に垂直な断面を意味する。
【００２７】
ハウジングは、例えば、塗布部材がボール形状を有する場合、特に半球よりもわずかに大きな部分球形形状を有する。この場合、塗布部材の輪郭とそのハウジングの輪郭は、同心であってよい。塗布部材の曲率半径とそのハウジングの曲率半径は、２０％以内で、より良好には１０％以内で、又は実際のところは５％以内で等しくてよい。これらの曲率半径間の差異が、中間室が生み出されることを可能にしている。
【００２８】
一変形形態として、特に、塗布部材が円筒形状を有し、例えばローラである場合、ハウジングは、半円筒よりもわずかに大きな形状の外被を有してよい。
【００２９】
一変形形態として、塗布部材はハウジング内に、カバーによって保持されてよい。ハウジングはこの場合、より小さな横断面をもつ形状、又は半円に等しい形状を有する、外被を有してよい。
【００３０】
さらなる変形形態では、ハウジングの底部がわずかに平坦になっている。
【００３１】
デバイスは、特に塗布部材ごとに１つの、複数のハウジングを備えてよい。
【００３２】
端部取付部品は、組成物用の少なくとも１つの貯蔵キャビティと、１つ又は複数の貯蔵キャビティから塗布部材に組成物を導く供給オリフィスとを備える、分配部を備えてよい。
【００３３】
塗布部材のうちの少なくとも一部が、１つ又は複数のキャビティの上に位置しないことがある。分配部の１つ又は複数のキャビティは、塗布部材全体の下に延在するわけではない。分配部を端部取付部品の長手方向軸に沿って観察したとき、複数の塗布部材が、１つ又は複数のキャビティを覆い、１つ又は複数のキャビティの周りにはみ出ている。
【００３４】
分配部は、塗布部材に到達する組成物の流量が、少なくとも２つの塗布部材について、又は実際のところは各塗布部材について、２０％以内で、より良好には１５％以内で、又は実際のところは１０％以内で同一であるように構成されてよい。塗布部材に到達する組成物の流量とは、当該の塗布部材に対応する供給オリフィスから、前記塗布部材のハウジングに供給するために出る、組成物の流量である。２つの流量Ｄ１とＤ２は、次のように比較される。２つのうちＤ１のほうが小さな流量であり、２つのうちＤ２のほうが大きな流量であるとき、次の比、（Ｄ２−Ｄ１）／Ｄ２、が計算される。
【００３５】
電気伝導性分配部
分配部は、電気伝導性であってよい。
【００３６】
分配部の１種又は複数種の材料は、非限定的である次のリスト、アセタール、ポリエステル、ＡＢＳ、ポリアミド、ポリカーボネート、ＰＰ、ＰＥ、シリコーン、ブチル、ニトリル、バイトン（ｖｉｔｏｎ）、ＰＢＴ、及びこれらの材料の組合せ、から選択されてよい。材料は、特に、充填プラスチック、例えば優先的にはポリカーボネートであってよい。
【００３７】
分配部の材料は、ポリマーマトリックスにフィラーを導入することによって電気伝導性にされてよく、このフィラーは、非限定的である次のリスト、金属、黒鉛、繊維、又は炭素粉、から選択することが可能である。
【００３８】
一実施形態では、分配部は、電気伝導性フィラー、例えば炭素フィラー又は金属フィラーを含む、少なくとも１種の熱可塑性物質から形成される。確実に分配部がかなりの軽量となるように、炭素フィラーが好ましい。
【００３９】
一実施形態では、塗布部材は、電気伝導性ではない。
【００４０】
分配部は給電システムに、金属ラグによって電気的に接続されてよい。金属ラグにより、確実に給電システムから分配部に電流が伝達するようにすることが可能になり得る。分配部と組成物だけが、端部取付部品内の、電気伝導性の構成要素であってよい。特に、キャップ、カバー、及び／又は塗布部材は、電気伝導性ではないことがある。皮膚と接触し、かつ電気伝導性である唯一の要素が、組成物であってよい。
【００４１】
塗布部材
デバイスは、特に２個から８個の間の、より良好には３個から６個の間の、特にボールの形態をとる幾つかの塗布部材を備えてよい。塗布部材が多数であることによって、組成物の、連続的な良好な分配が促進され、適切な場合、処理中の組成物のイオン化が改善する。塗布部材が多数であることにより、処理中のマッサージ効果を改善することも可能になる。
【００４２】
少なくとも１つの塗布部材がボールであってよく、より良好には、すべての塗布部材がボールである。
【００４３】
一変形形態として、塗布部材は、特に、例えばローラの形態をとる、円筒形の任意の外形、又は非円筒形の任意の外形、例えば卵形もしくは円盤の形状を呈してよい。
【００４４】
塗布部材のうちの少なくとも幾つかは、多角形として、特に三角形として編成されてよく、より良好には、すべての塗布部材が多角形として、特に三角形として編成される。そのような配設により、接近の困難なゾーン、例えば鼻翼の塗布及び処理が容易になる。
【００４５】
塗布部材のこの構成は、塗布表面の全体にわたる組成物の良好な分配も促進する。したがって、処理のより良好な均一性が得られる。適切な場合、塗布表面上での電流の良好な分布に関係する安全性及び快適さも改善される。塗布部材のこの配設とその数が比較的多いことが、かなり大きな表面積にわたる同時塗布を可能にする。
【００４６】
塗布部材は、プラスチック又は金属製であってよい。
【００４７】
塗布部材は、好ましくは、電気伝導性でもなく、金属導体によって電気供給回路に連結されてもいない。
【００４８】
塗布部材の外面は、塗布される組成物及びケラチン物質に対して、化学的観点から完全に不活性であってよい。外面はワニスで覆われてよい。外面は研磨されてよい。適切な場合、外面は殺生剤を備えてよい。
【００４９】
さらに、塗布部材の外面は、組成物リザーバに近接して配設されてよく、それにより、リザーバからこの外面に組成物を輸送するための特定のダクトの存在を回避することが可能になる。
【００５０】
塗布部材は、球形でもよく、円筒形の例えばローラ状でもよく、他の何らかの形状、特に卵形を有してもよい。
【００５１】
有利には、少なくとも１つの塗布部材、より良好には各塗布部材が、少なくとも１つの回転軸の周りを回転する。本発明の一例示的実装形態では、塗布部材の外面が、対称軸について実質的な回転対称を呈し、外面は、この対称軸の周りで回転式であることが可能である。一変形形態として、塗布部材は、この対称軸とは異なる回転軸の周りで回転式であってよい。
【００５２】
少なくとも１つの塗布部材が、外壁がそれに取り付けられるコアを備えてよい。すべての塗布部材について、そうであってよい。このコアは、起伏が設けられた表面を備えてよく、外壁は、起伏と接触するように、塗布中に変形することが可能であってよい。起伏は、処理される表面と塗布部材が接触しているときに、マッサージ効果をもたらすことを可能にし、これは、特に、組成物が皮膚に浸透するのを助け、組成物の作用を促進することができる。
【００５３】
外壁は、一変形形態として、剛性であってよい。
【００５４】
本発明の一例示的実装形態では、外壁が起伏を備え、起伏は、バンプ又はリブを備えてよい。
【００５５】
あるいは、少なくとも１つの塗布部材が、塗布部材に起伏を付与する取外し可能な要素を備えてよい。したがって、塗布部材の寸法、それらの表面特性、又はそれらの粗さを修正する目的で、これらの要素を取り替えることが可能である。
【００５６】
有利には、少なくとも１つの塗布部材が、デバイス上に取外し可能に取り付けられる。すべての塗布部材が、デバイス上に取外し可能に取り付けられてよい。
【００５７】
分配部は、塗布部材用のハウジング、特に塗布部材の各々用のハウジングがそれに対して作製される、第１の面を備えてよい。第１の面は、平面でもよく、凹面でもよく、凸面でもよい。第１の面は、例えば、わずかにドーム形であってよい。
【００５８】
供給オリフィスは、１つ又は複数のキャビティから塗布部材のハウジングに組成物を導くように構成される。供給オリフィスは、ハウジング内の、ハウジングの底部内以外の場所に出現してよい。これにより、分配部の厚さを低減させ、それによって、分配部がより薄く、よりかさばらなくなることが可能になり得る。
【００５９】
好ましくは、上で述べたように、特に、分配部をその第１の面に垂直に観察したとき、塗布部材のハウジングのうちの少なくとも一部が、１つ又は複数のキャビティの上に位置しない。その場合、分配部の１つ又は複数のキャビティは、塗布部材のハウジング全体の下に延在するわけではない。分配部をその第１の面及び第２の面に垂直に観察したとき、複数のハウジングが、１つ又は複数のキャビティを覆い、１つ又は複数のキャビティの周りにはみ出ている。
【００６０】
分配部は、第１の面とは反対側の第２の面を備え、組成物用の前記少なくとも１つの貯蔵キャビティがそれに対して作製される。１つ又は複数のキャビティは、平面でもよく、凹面でもよく、凸面でもよい第２の面に対して、くり抜かれていてよい。キャビティは、分配部内に作製された溝の形態をとってよい。
【００６１】
分配部は、周辺キャビティ、特に３つの周辺キャビティを備えてよく、周辺キャビティの各々は、幾つかの塗布部材への組成物の運搬を可能にすることができる。
【００６２】
少なくとも１つの周辺キャビティは、組成物を２つの塗布部材、例えば、２つの隣接する塗布部材に運搬するように構成されてよい。特に、周辺キャビティの各々は、組成物を２つの塗布部材、例えば２つの隣接する塗布部材に運搬するように構成されてよい。したがって、塗布部材は、溝状であってよい対応するキャビティによって、２個１組で関連付けられてよい。
【００６３】
塗布部材のハウジングの供給オリフィスは、この目的のために、これらの周辺キャビティ内に出現してよい。したがって、組成物がたどる経路が最小限に抑えられ得、それにより、１つ又は複数のキャビティの容積、したがってリザーバの外側に存在する未分配供給の組成物の死容量を、低減させることが可能になる。
【００６４】
組成物が所与のハウジングに到達するために通る経路の長さは、組成物が別のハウジングに到達するために通る経路の長さに、３０％以内で、より良好には２０％又は１０％以内で、さらに良好には５％以内で実質的に等しくてよい。「経路の長さ」とは、デバイスが使用されているときに、分配部内の、分配部内の組成物の到達点と対応するハウジング内の到達点との間に生み出される、最短経路を意味する。
【００６５】
少なくとも２つの供給オリフィスは、少なくとも一部には、組成物が対応するハウジングに到達するために通る経路の長さの差を補償するように、異なる横断面のものであってよい。
【００６６】
したがって、塗布部材への組成物の分配供給の均等性を促進し、塗布部材の各々について組成物のバランスのとれた供給流量を得ることが可能である。「バランスのとれた流量」とは、塗布部材の各々が、別の塗布部材によって受け取られる流量とは２０％未満で、より良好には１０％未満で、さらに良好には５％未満で異なる組成物の流量を受け取ること、を意味するものと理解される。
【００６７】
分配部のこの形状は、塗布部材の数が多いにもかかわらず、また軸からの、またリザーバの出口オリフィスからの、各塗布部材の距離が異なるにもかかわらず、塗布部材への組成物の良好な分配を促進する。したがって、分配部内に貯蔵される組成物量を最小限に抑えながら、各塗布部材上への組成物の分配供給のバランスをとることが可能である。したがって、１つ又は複数のキャビティの容積は、最小値に低減され得る。
【００６８】
分配部は、少なくとも１つの中央キャビティ、特に単一の中央キャビティを備えてよい。この中央キャビティは、特に、さらに後で説明する拡散部を介して、組成物がリザーバから直接供給されるためのものであってよい。
【００６９】
周辺キャビティは、中央キャビティの周りにフィンとして配設されてよい。周辺キャビティには、中央キャビティからｖ字形経路を通じて供給されてよい。したがって、周辺キャビティは中央キャビティと、中央キャビティの周縁部に作製された通路を通じて連通することができる。
【００７０】
一変形形態として、デバイスにどんな中央キャビティもなく、周辺キャビティが、相互に独立しており、分配部内で互いに連通することができない。この場合、周辺キャビティには、特に以後説明する拡散部を介して、組成物がリザーバから直接供給されてよい。
【００７１】
少なくとも１つの周辺キャビティ、又は実際のところは周辺キャビティの各々が、直線溝形状を有し、供給オリフィスが、この溝の両端部の各々のところに出現してよい。これらの周辺キャビティは、その数が３であるとき、三角形の辺の各々上に前記三角形の頂点のうちの１つから開始して、例えば三角形の半辺上に、配設されてよい。
【００７２】
周辺キャビティの各々には、さらに後で説明する拡散部から供給されてよく、拡散部は、３つの枝部のある星形の拡散部キャビティを備え、星の各枝部が、分配部の周辺キャビティのうちの１つに、その中間において、又はその両端部の一方のところで、供給する。組成物が拡散部に入ってから塗布部材に至るまでに組成物が受ける水頭損失は、好ましくは、各塗布部材について同じであり、最低でも（ａｔ  ｔｈｅ  ｖｅｒｙ  ｌｅａｓｔ）２０％未満、より良好には１０％未満、又は実際のところは５％未満で異なる。したがって、塗布部材の各々への供給について等しい、組成物が通る経路が得られる。
【００７３】
拡散部
デバイスは、分配部と直接接触して、組成物を分配部の１つ又は複数のキャビティに送り込めるようになっている、拡散部を備えてよい。
【００７４】
分配部及び拡散部はそれぞれ、分配部又は拡散部のうちの他方と接触する面を有してよい。これらの面は、平面であってよい。これらの面の表面は、原則として、接触している表面間を流れる組成物がないように適合されてよい。しかし、本発明の意味の範囲内でのキャビティを構成する、この膜を収める隙間がない状態での、これらの表面間の組成物の膜の存在を、除外することは不可能である。
【００７５】
拡散部は、さらに後で説明するように、電気伝導用の金属ラグを受け入れることを可能にする、少なくとも１つの金属ノッチ、例えば３つの金属ノッチを備えてよい。第１の耐漏洩性シールが、拡散部と分配部との間の、特に分配部の１つ又は複数のキャビティの周りに、挿入されてよい。第２の耐漏洩性シールも、拡散部の下に、シール保持部片によって拡散部上に保持されて、設けられてよい。
【００７６】
上で述べたように、デバイスは、１つ又は複数の塗布部材をハウジング内に保持するように構成されたカバーを備えてよい。カバーは、塗布部材がそれを通じて外側に突き出して組成物を塗布することのできる、開口部を備えてよい。一実施形態では、カバーは、電気伝導性ではない。
【００７７】
給電システム
デバイスは、組成物の塗布ゾーン内でケラチン物質を処理電流に晒すための給電システムを備えてよい。
【００７８】
「給電システム」という表現は、１つ又は複数の電極と対電極との間の電位差を引き起こすことの可能である電気的組立体を意味するものと理解される。端部取付部品が、人物の顔上に載置され、かつ対電極が手中に把持された場合、人物の顔とその手との間に電位差が確立される。
【００７９】
電極
給電システムは、ケラチン物質から遠隔に配置され、組成物と接触する電極と、好ましくは組成物に晒されないゾーン内でケラチン物質と接触する対電極とを含んでよい。
【００８０】
本発明によれば、「電極」とは、正に帯電した（陽極）又は負に帯電した（陰極）電極を意味する。この電極は、確実に電流が組成物内に流れるように、塗布先端部内に配設されてよい。その場合、電極は端部取付部品の内側に配設される。この場合、電極は、ケラチン物質と直接接触しないが、組成物自体とは直接接触する。組成物は、デバイスの使用中に皮膚と接触する唯一の伝導性物質であってよい。電極は、ケラチン物質、特に皮膚と接触することはできず、端部取付部品は、皮膚と接触するどんな電気伝導性材料も備えていない。
【００８１】
本明細書全体を通じて、「電極」という用語は、単一の絶縁電極を意味する。電極は、例えば、ボール、スタッド、タブの形態をとってよい。デバイスは、単一の又は幾つかの電極を備えてよい。
【００８２】
「対電極」とは、他方の電極よりも高い電位に至る電極（陰極）、又は他方の電極よりも低い電位に至る電極（陽極）を意味する。対電極の極性の符号は、電極の符号とは反対である。一般に、前記対電極は、デバイスの本体上又はハンドピース上に配設される。対電極は、ケアを受けている人物の身体ゾーンと接触するためのものである。例えば、対電極は、人物の指間、又は人物の手のひらと指との間に握られてよい。一構成では、対電極は、端部取付部品上に配設される。この場合、どんな漏れ電流も回避するように、対電極は、電極から絶縁空間によって隔てられ、電極からできるだけ遠くに距離を置かれる。
【００８３】
電極は、端部取付部品の内側に収められてよく、電極は、特に、塗布部材の外壁から、０．２ｍｍから５ｍｍの間の距離だけ距離を置かれる。この距離は、電極と塗布部材の外壁との間の間隙を表す。この距離は、電極と塗布部材の外面との間の測定可能な最短距離である。この距離は、測定される距離が最短距離であることを条件として、電極の任意の点と塗布部材の外面の任意の点との間で測定される。
【００８４】
有利には、給電システムは、電極と皮膚との間に流れる処理電流の大きさを制御することの可能な電流発生器を含み、それにより、電極と対電極との間の電圧Ｕの制御が可能になっている。発生する電圧Ｕは、「皮膚＋組成物」系のインピーダンスに応じて決まる。電圧Ｕは、安全上の理由から、電流発生器によって送達することの可能な最大値Ｕｍａｘに制限される（例えば約１００Ｖ）。この電圧Ｕｍａｘは、１５０Ｖ未満であってよい。
【００８５】
電極は、例えば平面円盤の形態又は多角形の形態をとる、平面であってよい。電極は、例えば電気伝導性金属シートをスタンピングし、又は曲げることによって形成されて、中空であってよい。電極は、多孔質であってよい。
【００８６】
電気的パラメータ
電気エネルギー源は、任意の電池又は任意の蓄電池を備えてよい。電極間の電圧は、例えば１．２Ｖから２４Ｖの間、好ましくは１．２から３．３Ｖの間である。適切な場合、電流が流れることにより、点状の発熱が生み出されてよい。
【００８７】
等価電流密度において、デバイスは特に、皮膚のレベルにおいて、好ましくは０．５００ｍＡ／ｃｍ２以下の、例えば０．０１ｍＡ／ｃｍ２から０．５００ｍＡ／ｃｍ２の間の、例えば０．１ｍＡ／ｃｍ２から０．３ｍＡ／ｃｍ２の間の電流密度を送達してよい。
【００８８】
制御システム及び警告機能
デバイスはさらに、皮膚のインピーダンスに敏感な制御システムを備えてよい。制御システムは、皮膚のインピーダンスに関する情報をもたらす測定を行うように構成されてよい。「測定」とは、測定された大きさがしきい値と、例えば、測定された大きさがしきい値を超えたか否か、又は測定された大きさが所与の区間内に位置するか否かについて、比較されることを意味する。
【００８９】
デバイスはさらに、皮膚のインピーダンスに敏感な制御システムから発する情報に応答してユーザに信号を提供する警告機能を備えてよい。したがって、警告機能は、測定されたインピーダンスがしきい値を超えたことをユーザに事前警告することを可能にすることができる。
【００９０】
提供される信号は、特に、電極間の電流密度及び／又は分配供給される組成物量を修正する必要の可能性に関係してよい。この修正は、デバイスの従属システムによって自動的に行われてもよく、ユーザによって手動により行われてもよい。信号は、例えば、組成物の追加の１回投与分を分配供給するようにユーザに促してよい。一変形形態として、又はそれに加えて、信号は、電流密度を増大させるようにユーザに促してよい。
【００９１】
警告機能の１つ又は複数のしきい値は、デバイス内に予めプログラムされてもよく、ユーザによって固定されてもよく、リザーバがデバイスによって認識され、かつ対応するしきい値がリザーバの識別子に応じて自動的に決定される場合には、デバイスに挿入される組成物リザーバに応じて決まってもよい。
【００９２】
電極と皮膚との間の組成物が不十分である場合、インピーダンスが非常に高い。電圧Ｕがあまりにも高くなるおそれがある。
【００９３】
電極と皮膚との間の化粧用組成物量が増大した場合、この位置におけるインピーダンスの低下のため、電圧Ｕは低下する可能性がある。
【００９４】
デバイスは、電極間を流れる電流密度を調整するための部材、特に手動により作動可能な部材、及び／又は電流密度を自動的に調節するためのデバイスを備えてよい。電流密度（Ａ／ｃｍ２）は、処理の効果を確実なものにするように、かつ／又は痛みを伴う感覚を制限するように、調節されてよい。電流密度の調節は、ユーザが電流の大きさを自由に修正することが可能な状態で、又はそうする必要があると警告機能がユーザに合図したとき、ユーザによって手動により行われてもよく、電流密度を従属させるためのシステムによって自動的に行われてもよい。
【００９５】
デバイスは、電極間の電流密度を、制御システムによって行われるインピーダンス測定に従属させるためのシステムを備えてよい。
【００９６】
警告機能は、表示灯、音声警告機能、及び振動警告機能のうちの少なくとも１つを備えてよく、警告機能は、好ましくは、制御システムによって測定されたインピーダンスが予め定義されたインピーダンス範囲内に位置するとき、トリガされる。
【００９７】
一変形実施形態では、電極間の電流が、低周波電流発生器によって発生する。一変形実施形態では、電流が、電圧発生器によって発生しない。
【００９８】
デバイスは、分配供給される組成物の量及び／又は処理の持続時間を制御するように構成された、電子タイムアウトシステムを備えてよい。
【００９９】
制御部材
デバイスは、組成物分配供給制御部材、特にプッシュボタン（例えばオン／オフボタン）もしくは回転サムホイール、及び／又は組成物流量を調節するためのデバイスを備えてよい。制御部材は、ユーザによって手動により作動されるように構成される。制御部材は、組成物の１回投与分の、又は一変形形態として、組成物の連続流の分配供給を可能にするように、構成されてよい。一例示的実施形態では、組成物の分配供給は、制御部材が作動されている限り、例えばプッシュボタンが押下されている限り、継続する。
【０１００】
ユーザは、存在する組成物量が処理の効果を確実なものにするのに不十分であるとき、組成物の分配供給をトリガすることができる。組成物量の調節は、ユーザが分配供給される組成物量を自由に修正することが可能な状態で、又はそうする必要があると警告機能がユーザに合図したとき、ユーザによって手動により行われてもよく、分配供給される組成物量をケラチン物質に対して行われる測定に従属させるためのシステムによって自動的に行われてもよい。
【０１０１】
デバイスは、リザーバから出る組成物量を制御システムによって行われるインピーダンス測定に従属させるためのシステムを備えてよい。組成物の分配供給を皮膚のインピーダンスに従属させることにより、処理全体を通じて十分な量の化粧用組成物が存在することを確実にすることが可能になる。組成物量は、行われた測定に応じて、自動的に調整され得る。
【０１０２】
デバイスは、デバイスを、分配供給される組成物量が制御システムによって測定されるインピーダンスに従属する、自動モードにするか、又は分配供給される組成物量を修正する必要があることを警告機能がユーザにアドバイスする、半自動モードにすることを可能にする、スイッチを備えてよい。「半自動モード」とは、組成物を手動により分配供給する必要があることを、警告機能がユーザに警告できることを意味する。「自動モード」とは、上で述べたように、必要な場合、組成物の分配供給が自動的に作動されることを意味するものと理解される。この場合、警告機能は、動作しなくてもよく、一変形形態として、組成物が分配供給されることをユーザに合図するように動作してもよい。
【０１０３】
リザーバ
リザーバの出口のところで配合物を分配供給するための部材は、ポンプを備えてよい。有利には、この分配供給部材は、デバイス内のリザーバの壁部とそのハウジングとの間の空気を圧縮するために、空気ポンプを備える。リザーバの壁部は、好ましくは可撓性であり、ハウジングの壁部は、好ましくは剛性である。
【０１０４】
より有利には、ハウジングは気密である。リザーバは、空気ポンプによって、制御された形で圧縮される。これにより、ハウジング内にある一定の圧力が生み出されて、配合物の流量が調節される。リザーバの終わりのところに一方向弁があることで、配合物を空気との接触から守ることが可能になり得る。
【０１０５】
リザーバは、可変の内部容積を有してよく、内部容積を低減させるように弾性的に変形可能な少なくとも１つの壁部、特に、互いに対向する弾性的に変形可能な２つの壁部を備えてよい。
【０１０６】
リザーバは、リザーバが空になったとき、それが別のものと交換され得るか、又はリザーバに充填用オリフィスがあるときは充填するために取り外され得るように、デバイス上に取外し可能に取り付けられるように設計されてよい。
【０１０７】
有利には、リザーバは、弾性的に変形可能な外壁を有する。
【０１０８】
好ましくは、リザーバは、ダクトを通じて拡散部内に出現する、出口オリフィスを備える。
【０１０９】
有利には、リザーバは、単一構成要素として形成される。リザーバは、好ましくは、特に同一熱可塑性物質、例えばＬＤＰＥ、ＨＤＰＥ、ＬＤＰＥとＨＤＰＥとの混合物、ＰＰ、又はＰＥとＰＰとの任意の比率の混合物から一体成形される。リザーバの壁部の厚さは、例えば、０．１ｍｍから１ｍｍの間であり、第２のゾーン内では０．３ｍｍから０．８ｍｍの間である。
【０１１０】
有利には、リザーバの総内部容積は、変形可能ゾーンの静止構成において、１ｃｍ３から１００ｃｍ３の間、好ましくは２０ｃｍ３から５０ｃｍ３の間である。この容積は、数回の使用にとって、又は数週間にわたる反復される処理にとって、最適なものである。
【０１１１】
好ましくは、リザーバの内部容積は、変形可能ゾーンの静止構成における前記リザーバの内部容積の１０％から５０％の間に等しい容積だけ縮小してよい。この容積の変化には、見て分かりかつ測定可能であるという利点がある。
【０１１２】
リザーバは、射出ブロー成形又は押出ブロー成形によって製造されてよい。
【０１１３】
リザーバは、取外し可能であってよい。リザーバは、特に、使い捨てのリザーバである。リザーバは、単回投与分であってもよく、そうでなくてもよい。
【０１１４】
組成物
少なくとも１種の化粧用の又は皮膚科学的な組成物を、このデバイスとともに使用することが可能である。
【０１１５】
使用される組成物は、あらゆる形態、例えば、水溶液の、オイルの、エマルジョンの、粉末の、又はゲルの形態をとってよい。使用される組成物は、皮膚上に噴霧されてもよい。
【０１１６】
使用される組成物がゲルの形態をとるとき、ゲルは、上で述べたようにそれが施与される電極の形状を帯びることができる。
【０１１７】
組成物は、活性成分を含んでよい。
【０１１８】
有利には、組成物は、
−  特に、湿潤性もしくは保湿用の活性剤、例えばアンチエイジング活性剤、色素脱失用活性剤、皮膚微小循環に対して作用する活性剤、又は皮脂調節用活性剤から選択された活性剤を含む、顔のケア又は身体ケア用組成物、
−  顔又は身体をメイクアップするための組成物、
−  毛髪用組成物、特に洗髪用の、毛髪のケア又はコンディショニング用の、毛髪の一時的な形態保持もしくは整形のための、毛髪を一時的に、半永久的に、もしくは永久的に染色するための、又は縮毛矯正し、もしくはパーマネントウェーブをかけるための組成物、特に根元及び毛髪を縮毛矯正し、染色し、もしくは脱色するための組成物、ならびに
−  頭皮用組成物、特に、フケ防止用組成物、抜け毛を防止するための、もしくは毛髪の再生を助長するための組成物、抗脂漏性、抗炎症性、抗刺激性、もしくは鎮静性の組成物、しみ防止用組成物、又は頭皮を刺激もしくは保護するための組成物
の中から選択される。
【０１１９】
デバイスは、例えばしわ、疱疹、にきびへの対策に努めるための、又は皮膚もしくは毛髪を再緻密化するための、多様な化粧用の又は皮膚科学的な処理において使用され得る。
【０１２０】
本発明は、次に続く、本発明の非限定的な実装例についての詳細な説明を読めば、また添付の図面を検討すれば、よりよく理解されよう。
【図面の簡単な説明】
【０１２１】
【図１】本発明によるデバイスの、斜視した概略部分図である。
【図２】本発明によるデバイスの、斜視した概略部分図である。
【図３】図１のデバイスを閉塞するためのキャップの、斜視した概略部分図である。
【図４】本発明によるデバイスの、斜視した概略部分図である。
【図５】本発明によるデバイスの、斜視した概略部分図である。
【図６ａ】そのハウジング内で第１の位置にある塗布部材の、横断面における概略部分図である。
【図６ｂ】そのハウジング内で第２の位置にある塗布部材の、横断面における概略部分図である。
【図７ａ】そのハウジング内で第１の位置にある一変形実施形態の塗布部材の、横断面における概略部分図である。
【図７ｂ】そのハウジング内で第２の位置にある一変形実施形態の塗布部材の、横断面における概略部分図である。
【図８ａ】そのハウジング内で第１の位置にある別の変形実施形態の塗布部材の、横断面における概略部分図である。
【図８ｂ】そのハウジング内で第２の位置にある別の変形実施形態の塗布部材の、横断面における概略部分図である。
【発明を実施するための形態】
【０１２２】
本発明によるデバイス１が、図１から図５に表されている。デバイス１は、ボール形状をそれぞれが有する６つの塗布部材６を備える端部取付部品２が上に取り付けられる本体１２、及び本体１２の内側に収められ、破線付きで表された組成物リザーバ３を備える。端部取付部品２は、本体１２上にスナップ留めによって固定される。端部取付部品２は、他の何らかの様式で取り付けられてもよい。ここで考慮する例では、本体１２は、熱可塑性材料製である。一変形形態として、本体１２は、他のどんな材料製であってもよい。さらに、塗布部材６は、プラスチックボールである。塗布部材６は、他のどんな形状を有してもよく、例えばローラである。
【０１２３】
説明する例では数が６である塗布部材６は、三角形として配設され、それにより、接近の困難なゾーン、例えば鼻翼の塗布及び処理を容易にすることが可能になっている。
【０１２４】
デバイス１は、図１に破線付きで見ることのできる、端部取付部品２の内側に収められた電極４、及び本体１２上に配設された対電極５を備える。対電極５は、ユーザがデバイス１をその手中に把持するとき、ユーザの手と接触し、それによって、電極４と対電極５との間の電気回路が閉じて、処理時に電流がユーザの身体内に流れる。電極４の分極及び対電極５の分極は、使用される組成物の性質に従って逆にできてよい（＋又は）。
【０１２５】
電極４は、本体１２内に収められた給電システム１０の一極に接続され、図５に見ることのできる分配部３０を組成物が通過するときに、組成物と連通する。組成物はその後、塗布部材６の上を通り、塗布表面、説明する例では皮膚に、処理する目的で到達する。対電極５は、給電システム１０の他方の極に接続され、給電システム１０は、バッテリ（電池又は充電式バッテリ）によって給電される。
【０１２６】
処理を始めるために、ユーザは、プッシュボタン２５によってデバイスをオンにする。次いで、リザーバ内に収容された組成物を分配供給するための部材８、特にポンプによって自動的に、又はユーザが制御部材２２に対して作用することによって、組成物が分配供給されるのと同時に、装置が例えば人物の顔に施与されると、電極４と対電極５との間に電流が流れ始める。
【０１２７】
一変形実施形態では、図１の例では目盛付き回転ボタンである、電極間の電流密度を調整するための調整部材２６によって、電流の強度がユーザにより調整されてよい。
【０１２８】
電極４と皮膚との間の組成物が不十分である場合、皮膚のインピーダンスが高くなる。デバイスは、皮膚のインピーダンスに敏感であり、かつそのようなインピーダンス変化を検出するように構成された、制御システムを備える。デバイスは、制御システムから発する情報に応じてユーザに信号を提供できるようになっている、警告機能２０も備える。説明する例では、警告機能２０は、発光信号を提供する。次いで、ユーザは、図１の例ではプッシュボタンである、組成物分配供給制御部材２２を押すことによって、組成物の追加の１回投与分を分配供給することができる。
【０１２９】
ここで、端部取付部品２の構造について、図２から図６ｂを参照して、より詳細に説明する。
【０１３０】
端部取付部品はまず、図３に単独で示す閉塞キャップ２８を備え、これは、デバイスの残りの部分の上に、より具体的には、塗布部材６のカバー４０の上に、スナップ留めによって固定されるように構成される。閉塞キャップ２８は、その底部に、塗布部材６を設置するための起伏２９を備える。この閉塞キャップは、好ましくは、電気伝導性ではない。
【０１３１】
カバー４０は、塗布部材６を分配部３０上の定位置に保持できるようになっている。カバー４０は、塗布部材６がそれを通じて外部に向かって突き出して組成物を塗布することのできる、開口部を備える。カバー４０は、本体１２の上部リング６５上にそれ自体が固定された拡散部５０上に、固定される。拡散部５０は、分配部３０と直接接触して、組成物を分配部に送り込めるようになっている。
【０１３２】
カバー４０の下に配設された分配部３０は、図４及び図５に示すように、複数の塗布部材６を受け入れる。分配部は、電気伝導性であり、電気伝導性フィラー、特に炭素フィラー又は金属フィラーを含む、熱可塑性材料から形成される。分配部は、給電システム１０に電気的に接続され、それによって、確実に給電システム１０から分配部に、次いで組成物に、電流が伝達するようにすることが可能になっている。分配部と組成物だけが、端部取付部品内の、電気伝導性となる要素である。
【０１３３】
分配部３０は、塗布部材６用のハウジング３２、特に６つの塗布部材６の各々用のハウジング３２がそれに対して作製される、第１の面３１を備える。第１の面３１は、それらのハウジング３２を互いに分離する幾つかの枝部のあるリブ３３も備える。
【０１３４】
塗布部材はそれぞれそのハウジング３２内で、組成物の圧力下で、塗布部材がそのハウジング内で静止しているときのその位置である、図６ａに示す第１の位置と、ハウジングの底部と塗布部材との間に組成物用の中間貯蔵室１００が生み出される、図６ｂに示す第２の位置との間で移動可能である。第２の位置は、そのハウジング内で、組成物の圧力下で移動する、塗布部材の位置である。
【０１３５】
中間室１００の最大容積は、例えば、２０μＬ程度である。この最大容積は、塗布部材６がそのハウジング３２内に配設されたときに塗布部材６の周りに存在する隙間に対応する。
【０１３６】
中間室１００の高さｈは、塗布部材の極限位置間にわたる。
【０１３７】
ハウジング３２には、リザーバ３から供給オリフィス３９を通じて組成物が供給される。供給オリフィスは、ハウジングの底部内に配設されてもよく、一変形形態として、図示のように、ハウジングの底部内以外の場所に配設されてもよい。
【０１３８】
ある一定量の組成物がリザーバから分配供給部材によって分配供給されると、前記量が、デバイスを通って移動して中間室１００に達し、組成物はそこで、塗布部材によってケラチン物質上に分配供給される前に、貯蔵されてよい。組成物の圧力下で、各塗布部材はそのハウジング内で、第２の位置に向かって移動し、それによって、余剰組成物の貯蔵が可能になる。その場合、たとえリザーバからの分配供給部材による組成物の分配供給が間欠的に行われても、中間室内に貯蔵された余剰組成物を使用することによって、塗布部材による組成物の塗布が継続し得る。したがって、ケラチン物質上への組成物の分配供給が円滑化する。
【０１３９】
今しがた説明した例では、塗布部材６はそれらのハウジング内に、カバー４０によって保持されるが、それはその他の方法であってもよい。
【０１４０】
図７ａ及び図７ｂに示す例示的実施形態では、ハウジングは、それ自体が、塗布部材６を保持するように構成される。ハウジング３２の形状は、塗布部材６がハウジング３２から離脱しないようにするものが選択される。ハウジング３２は、この例では、塗布部材６のより大きな横断面に比べて小さな断面をもつ開口部３８を有する。ハウジングの開口部３８により、開口部３８を通じてハウジングから突き出した塗布部材による、ケラチン物質への組成物の塗布が可能になっている。
【０１４１】
ハウジング３２は、端部取付部品２の軸に垂直な断面内に、半円よりも大きな横断面形状を有し、塗布部材は、横断面が円形形状のものである。
【０１４２】
この例示的実施形態では、ハウジング３２の底部がわずかに平坦になっており、ちょうどそこに、供給オリフィス３９が位置付けられている。
【０１４３】
図８ａ及び図８ｂに示す例示的実施形態では、塗布部材は、円筒形状を有し、例えばローラであり、ハウジングは、半円筒よりもわずかに大きな形状を有する。ハウジング３２には、リザーバ３から、ハウジングの底部内の、垂直供給ダクトの終わりのところに配設された供給オリフィス３９を通じて、組成物が供給される。
【符号の説明】
【０１４４】
１  デバイス
２  端部取付部品
３  組成物リザーバ
４  電極
５  対電極
６  塗布部材
８  部材
１０  給電システム
１２  本体
２０  警告機能
２２  組成物分配供給制御部材
２５  プッシュボタン
２６  調整部材
２８  閉塞キャップ
２９  起伏
３０  分配部
３１  第１の面
３２  ハウジング
３３  リブ
３８  開口部
３９  供給オリフィス
４０  カバー
５０  拡散部
６５  上部リング
１００  中間貯蔵室、中間室
ｈ  高さ
【図１】
2018537240.tif 000003
【図２】
2018537240.tif 000004
【図３】
2018537240.tif 000005
【図４】
2018537240.tif 000006
【図５】
2018537240.tif 000007
【図６ａ】
2018537240.tif 000008
【図６ｂ】
2018537240.tif 000009
【図７ａ】
2018537240.tif 000010
【図７ｂ】
2018537240.tif 000011
【図８ａ】
2018537240.tif 000012
【図８ｂ】
2018537240.tif 000013
【国際調査報告】
2018537240.tif 000014
2018537240.tif 000015